(57)【要約】【課題】信号処理部の故障により消費電流が定格値を超えて増加するように動作させられた場合に、消費電流をゼロとしてフィールドバスより分離せしめ、他の伝送用変換器動作への影響を除くことが可能な２線式フィールドバス装置を実現する。【解決手段】共通の直流電源が接続された一対のフィールドバスに複数の伝送用変換器並びにホスト装置が接続され、前記ホスト装置に対して前記伝送用変換器の一つが選択され、選択された伝送用変換器の消費電流の交流変調により前記ホスト装置との間で通信が実行される２線式フィールドバス装置において、前記伝送用変換器の信号処理部の故障により前記消費電流が定格値を超えて増加するように動作させられた場合に、前記消費電流をゼロとして前記伝送用変換器を前記フィールドバスより分離せしめる遮断回路を設けた。【選択図】　　　　　　　　　　図１
2004086405.tif 000002
【特許請求の範囲】
【請求項１】
共通の直流電源が接続された一対のフィールドバスに複数の伝送用変換器並びにホスト装置が接続され、前記ホスト装置に対して前記伝送用変換器の一つが選択され、選択された伝送用変換器の消費電流の交流変調により前記ホスト装置との間で通信が実行される２線式フィールドバス装置において、
前記伝送用変換器の信号処理部の故障により前記消費電流が定格値を超えて増加するように動作させられた場合に、前記消費電流をゼロとして前記伝送用変換器を前記フィールドバスより分離せしめる遮断回路を設けたことを特徴とする、２線式フィールドバス装置。
【請求項２】
前記２フィールドバスは、ＰＲＯＦＩＢＵＳ　ＰＡの規格に準拠することを特徴とする、請求項１記載の２線式フィールドバス装置。
【請求項３】
前記遮断回路は、自身の消費電流に基づいて前記信号処理部に電源電圧を供給することを特徴とする、請求項１又は２記載の２線式フィールドバス装置。
【請求項４】
前記遮断回路の消費電流をＩｓｈ、前記信号処理部の消費電流をＩｃｃ、前記伝送用変換器の消費電流をＩｓｅｔとするとき、
Ｉｃｃ＋Ｉｓｈ＜Ｉｓｅｔ
の関係が常に成立するように各電流値が選定さることを特徴とする、請求項１乃至３のいずれかに記載の２線式フィールドバス装置。
【請求項５】
前記遮断回路の構成要素を前記信号処理部の構成要素に比較して高信頼性の部品で形成したことを特徴とする、請求項１乃至４のいずれかに記載の２線式フィールドバス装置。
【発明の詳細な説明】
【０００１】
【発明の属する技術分野】
本発明は、ＰＲＯＦＩＢＵＳ　ＰＡ（Ｐｒｏｃｅｓｓ　Ａｕｔｏｍａｔｉｏｎ）の規格で代表される、２線式フィールドバス装置に用いられる伝送用変換器に関する。
【０００２】
【従来の技術】
図２に基づき、２線式フィールドバス装置の基本的接続構成を説明する。このフィールドバスは、汎用のフィールドバス規格として欧州（特にドイツ）において、リモートＩＯのマルチベンダ規格として標準化されつつあるＰＲＯＦＩＢＵＳ関連規格の内、プロセス制御のためのフィールド機器を対象とする、ＰＲＯＦＩＢＵＳ　ＰＡ（Ｐｒｏｃｅｓｓ　Ａｕｔｏｍａｔｉｏｎ）規格に準拠するものである。
【０００３】
１及び２は一対のフィールドバスであり、そのフィールドバス間に共通の直流電源３が接続されている。４及び５はバスの両端部に接続された一対のターミネータである。６はフィールドバス間に接続されたホスト装置、７１，７２，７３，…は同じくフィールドバス間に接続された複数の伝送用変換器である。
【０００４】
このような接続構成において、ホスト装置６からの指令又は定周期で伝送用変換器７１，７２，７３，…の一つが選択され、選択された伝送用変換器の消費電流Ｉｓｅｔの交流変調によりホスト装置との間でディジタル通信が実行される。伝送用変換器は、プロセスの物理量のセンサ信号等を交流変調信号に変換して消費電流Ｉｓｅｔを変調する。
【０００５】
消費電流Ｉｓｅｔは、例えば４−２０ｍＡに設計され、可変部０−１６ｍＡのスパンを、８ｍＡを中心に±８ｍＡで交流変調する。フィールドバス間の負荷抵抗を５０オームの設計とすると、フィールドバス間には±４００ｍＶの交流電圧が発生し、これをホスト装置６が受信する。
【０００６】
図３は、伝送用変換器１台を代表７として示す具体的な回路構成図である。８及び９は伝送用変換器７の出力端子であり、フィールドバス１及び２に並列に接続されている。
【０００７】
１０は消費電流制御部であり、アクティブ要素として誤差増幅器Ｑ１，第１電流増幅器Ｑ２，第２電流増幅器Ｑ３を具備する。出力端子に直列挿入された抵抗Ｒｆに発生する負帰還電圧ｅｆと、交流（３１．２ｋｂｐｓ）のＰＲＯＦＩ信号源１１の電圧ｅｐの偏差がＱ１で増幅され、偏差がゼロとなるように第１電流増幅器Ｑ２のベース電位が制御される。この結果、電圧ｅｐの振幅に応じて消費電流の変化分０−１６ｍＡの電流信号が発生する。
【０００８】
１２はＰＲＯＦＩ信号源１１に直列挿入された直流バイアスであり、このバイアス電圧Ｖｒ１により、消費電流の変化分０−１６ｍＡの電流信号の動作中心点８ｍＡが設定される。この結果、伝送用変換器７の消費電流Ｉｓｅｔの変化分は、ＰＲＯＦＩ信号源１１の電圧ｅｐにより、８ｍＡを中心に±８ｍＡに変化する。
【０００９】
第２電流増幅器Ｑ３の電流Ｉｃｃの一部は定電圧発生回路１３に供給されて負荷を形成する信号処理部１４に一定の電源電圧Ｖｄを供給する。信号処理部１４は、ＣＰＵ１４１、メモリ１４２、センサ信号等を処理するアナログ回路１４３等の複雑な回路構成要素よりなり、ＰＲＯＦＩ信号源１１の電圧ｅｐを発生する。
【００１０】
信号処理部１４の消費電流、定電圧発生回路１３の動作電流、バイアス１２の動作電流、誤差増幅器Ｑ１の動作電流よりなる変換器内部の消費電流Ｉｃｃは、伝送用変換器７の消費電流Ｉｓｅｔの固定分である４ｍＡ以内とされ、負帰還抵抗Ｒｆを流れる。これに適当なダミー電流を付加するスパン調節回路（図示せず）により、伝送用変換器７の消費電流Ｉｓｅｔの固定分が４ｍＡにセットされる。
【００１１】
【発明が解決しようとする課題】
信号処理部１４は、複雑な回路構成要素よりなるために、故障（ＣＰＵ、メモリ、アナログ回路の異常や容量の短絡、抵抗断線等）が発生しやすい。故障発生により、第２電流増幅器Ｑ２の出力電流Ｉｃｃが増加するように動作させられた場合には、フィールドバス１，２を介して直流電源３より大きな異常電流が当該伝送用変換器に流れ込み、バスライン間の電圧が異常降下する。
【００１２】
図２で説明したように、フィールドバス１，２間には複数の伝送用変換器が接続されており、１台の故障発生でもバスラインの電圧降下が発生した場合には、接続されている全ての伝送用変換器が動作不能となる危険がある。
【００１３】
本発明の目的は、信号処理部の故障により消費電流が定格値を超えて増加するように動作させられた場合に、消費電流をゼロとしてフィールドバスより分離せしめ、他の伝送用変換器動作への影響を除くことが可能な２線式フィールドバス装置を実現することにある。
【００１４】
【課題を解決するための手段】
このような目的を達成するための本発明の構成は次の通りである。
（１）共通の直流電源が接続された一対のフィールドバスに複数の伝送用変換器並びにホスト装置が接続され、前記ホスト装置に対して前記伝送用変換器の一つが選択され、選択された伝送用変換器の消費電流の交流変調により前記ホスト装置との間で通信が実行される２線式フィールドバス装置において、
前記伝送用変換器の信号処理部の故障により前記消費電流が定格値を超えて増加するように動作させられた場合に、前記消費電流をゼロとして前記伝送用変換器を前記フィールドバスより分離せしめる遮断回路を設けたことを特徴とする、２線式フィールドバス装置。
【００１５】
（２）前記２フィールドバスは、ＰＲＯＦＩＢＵＳ　ＰＡの規格に準拠することを特徴とする、請求項１記載の２線式フィールドバス装置。
【００１６】
（３）前記遮断回路は、自身の消費電流に基づいて前記信号処理部に電源電圧を供給することを特徴とする、請求項１又は２記載の２線式フィールドバス装置。
【００１７】
（４）前記遮断回路の消費電流をＩｓｈ、前記信号処理部の消費電流をＩｃｃ、前記伝送用変換器の消費電流をＩｓｅｔとするとき、
Ｉｃｃ＋Ｉｓｈ＜Ｉｓｅｔ
の関係が常に成立するように各電流値が選定さることを特徴とする、請求項１乃至３のいずれかに記載の２線式フィールドバス装置。
【００１８】
（５）前記遮断回路の構成要素を、前記信号処理部の構成要素に比較して高信頼性の部品で形成したことを特徴とする、請求項１乃至４のいずれかに記載の２線式フィールドバス装置。
【００１９】
【発明の実施の形態】
以下本発明実施態様を、図面を用いて説明する。図１は本発明を適用した伝送用変換器の一例を示す回路構成図であり、図３の従来変換器で説明した要素と同一要素には同一符号を付して説明を省略する。
【００２０】
以下、本発明の特徴部につき説明する。ブロック１５は遮断回路であり、消費電流制御部１０と信号処理部１４の間に挿入されており、機能的には、自身の消費電流Ｉｓｈｔにより、信号処理部１４その他の動作用電源電圧Ｖｄを発生している。
【００２１】
遮断回路１５の構成は、動作用電源電圧Ｖｄを抵抗で分圧した入力電圧Ｖｉと基準電圧Ｖｒ２の差を増幅する誤差増幅器Ｑ４と、その出力電圧でベース電位が制御され、コレクタ・エミッタ間を流れる電流Ｉｓｈｔにより動作用電源電圧Ｖｄを発生する電流／電源電圧発生トランジスタＱ５よりなる。
【００２２】
動作用電源電圧Ｖｄは、基準電圧Ｖｒ２により適正値に設定される。遮断回路１５の消費電流をＩｓｈ、信号処理部等の消費電流をＩｃｃ、伝送用変換器の消費電流をＩｓｅｔとするとき、（Ｉｃｃ＋Ｉｓｈ）＜Ｉｓｅｔの関係が常に成立するようにＩｓｈｔの値を設定する。
【００２３】
定常動作時では、遮断回路１５の消費電流Ｉｓｈｔは、信号処理部１４及び他回路の動作電流であるＩｃｃのバラツキや温度変化による変動を吸収する機能を有する。
【００２４】
このような電流関係において、信号処理部１４の異常により動作電流Ｉｃｃが大幅に増加し、増加量がＩｓｈｔの値を超えた場合には遮断回路１５は電流不足状態となり、動作不能の状態に陥る。従って動作用電源電圧Ｖｄの維持が困難となり、結局Ｖｄはゼロ近くまで低下する。
【００２５】
この結果、消費電流制御部１０の電流維持も動作不能に陥るため、この伝送用変換器は、バスラインから電流を吸収することが困難となり、ロー側にバーンダウン（実質上バスラインから分離）して死の状態を保ち続ける。
【００２６】
このため、フィールドバスに接続された他の伝送用変換器に対する電源電圧異常は回避され、正常な動作を継続させることが可能となる。
【００２７】
本発明の特徴部である遮断回路１５並びに消費電流制御部１０を含む構成要素を、信号処理部１４の構成要素に比較して高信頼性の部品で実現することで、この部分の故障確率を格段に下げることにより、複雑な回路よりなる信号処理部１４は通常部品で構成可能とすることができ、伝送用変換器の信頼性とコストのバランスをことが可能である。
【００２８】
【発明の効果】
以上説明したことから明らかなように、本発明によれば、信号処理部の故障により消費電流が定格値を超えて増加するように動作させられた場合に、消費電流をゼロとしてフィールドバスより分離せしめ、他の伝送用変換器動作への影響を除くことが可能な２線式フィールドバス装置を実現することが可能となり、フィールドバス装置の信頼性を向上させることができる。
【図面の簡単な説明】
【図１】本発明を適用した伝送用変換器の一例を示す回路構成図である。
【図２】２線式フィールドバス装置の基本的接続構成図である。
【図３】従来の伝送用変換器の一例を示す回路構成図である。
【符号の説明】
１，２　フィールドバス
３　直流電源
４，５　ターミネータ
６　ホスト装置
７　伝送用変換器
８，９　出力端子
１０　消費電流制御部
１１　ＰＲＯＦＩ信号源
１２　バイアス
１４　信号処理部
１５　遮断回路
【図１】
2004086405.tif 000003
【図２】
2004086405.tif 000004
【図３】
2004086405.tif 000005